【手続補正書】
【提出日】平成17年10月11日(2005.10.11)
【手続補正１】
【補正対象書類名】明細書
【補正対象項目名】全文
【補正方法】変更
【補正の内容】
【書類名】            明細書
【発明の名称】        ネットワーク利用のコンテンツ頒布方法およびシステム
【特許請求の範囲】
【請求項１】
携帯通信装置から、ネットワークを介して、該携帯通信装置をＩＤ登録したコンテンツサーバにアクセスし、
該アクセスに応答して前記コンテンツサーバが前記携帯通信装置に、コンテンツを検索するための情報を送信し、
該検索するための情報にあったコンテンツの送信を、前記携帯通信装置が、前記コンテンツサーバに要求し、
該コンテンツサーバが、該要求があったコンテンツを前記携帯通信装置に送信し、
該携帯通信装置が、受信した前記コンテンツを、出力装置を用いて可視出力する、
ネットワーク利用のコンテンツ頒布方法。
【請求項２】
携帯通信装置から、ネットワークを介して、該携帯通信装置をＩＤ登録したコンテンツサーバにアクセスし、
該アクセスに応答して前記コンテンツサーバが前記携帯通信装置に、コンテンツを検索するための情報を送信し、
該検索するための情報にあったコンテンツの指定と宛先を、前記携帯通信装置が、前記コンテンツサーバに送信し、
該コンテンツサーバが、該指定があったコンテンツを前記宛先に送信し、
前記宛先の出力装置が、前記送信があったコンテンツを可視出力する、
ネットワーク利用のコンテンツ頒布方法。
【請求項３】
ＩＤ登録がある通信装置からの、ネットワークを介したアクセスに応答して該ネットワークを介してコンテンツを検索するための情報を該通信装置に送信し、該通信装置が指定したコンテンツを該通信装置に送信するコンテンツサーバ；
前記ネットワークを介して、自己のＩＤ登録をした前記コンテンツサーバにアクセスし、それからコンテンツを指定してダウンロードする携帯通信装置；および、
該携帯通信装置がダウンロードしたコンテンツが与えられるとそれを出力する出力装置；
を含むネットワーク利用のコンテンツ頒布システム。
【請求項４】
ＩＤ登録がある通信装置からの、ネットワークを介したアクセスに応答して該ネットワークを介してコンテンツを検索するための情報を該通信装置に送信し、該通信装置が指定したコンテンツを該通信装置が指定した宛先に送信するコンテンツサーバ；
前記ネットワークを介して、自己のＩＤ登録をした前記コンテンツサーバにアクセスし、それにコンテンツおよび宛先を指定して送信を指示する携帯通信装置；および、
前記コンテンツサーバが送信してきたコンテンツを出力する出力装置；
を含むネットワーク利用のコンテンツ頒布システム。
【請求項５】
前記宛先は、ファクシミリ番号又は電子メールアドレスである、請求項４記載のコンテンツ頒布システム。
【請求項６】
前記コンテンツサーバは、通信装置毎のダウンロード内容を記憶手段に蓄積し、一定の期間毎に通信装置がダウンロード利用したコンテンツの利用料金合計を徴収する、請求項３，請求項４または請求項５記載のネットワーク利用のコンテンツ頒布システム。
【請求項７】
コンテンツは、歌詞およびバンドスコアを含む音楽情報である、請求項３乃至請求項６のいずれかに記載のネットワーク利用のコンテンツ頒布システム。
【請求項８】
前記コンテンツの利用料金は、歌詞に対しては対象楽曲の新旧，ダウンロード頻度又はジャンルに対応する価格であり、バンドスコアは、総スコア又は各パート毎のスコアに対応する価格であり、コンテンツサーバはそれぞれの対価を明示する、請求項７記載のネットワーク利用のコンテンツ頒布システム。
【発明の詳細な説明】
【０００１】
【発明の属する技術分野】
本発明は、ネットワークを介したコンテンツ頒布に関し、特に、これに限定する意図では無いが、携帯電話の着信メロディダウンロードサービスや通信カラオケダウンロードサービスなど音楽情報配信に伴う、歌詞情報およびバンドスコア情報を、サーバから携帯電話ユーザに頒布するシステムに関する。
【０００２】
【従来技術】
近年、インターネットを介した情報配信システムは、最新のデータを即時に提示でき、ユーザはその情報に簡単にアクセスできるようになってきたため、さまざまな情報のやり取りに利用されてきている。
【０００３】
この情報配信システムの一例の概要を、図５に示す。通常、コンテンツプロバイダ又はインフォメーションプロバイダと呼ばれるコンテンツ提供者１３ｂのサーバ１３ａ、インターネットプロバイダと呼ばれるユーザのネットワークアクセス環境提供者２ｂのサーバ２ａ、情報のやり取りを介するネットワーク１例えばインターネット、ユーザがネットワークにアクセスするためのユーザ端末４ａ例えばパソコンＰＣで構成される。コンテンツは各種情報である。
【０００４】
コンテンツ提供者１３ｂは、コンテンツの内容を必要に応じて更新し、最新のデータになるようにしており、ユーザ端末４ａからのネットワーク１を通じた配信要求があれば、要求データをユーザ端末４ａに送信するという仕組みになっている。
【０００５】
例えば特開2000-101573号公報には、音楽に関する各種情報すなわちコンテンツを、それぞれに価格を定めて、ネットワークを介してユーザに配信し課金するシステムが提示されている。
【０００６】
これらの課金方法としては、コンテンツのデータ容量が対象というより、例えば画像の枚数や、ソフトの数などコンテンツの内容によって課金額が決められることが多く、インフォメーションプロバイダのサーバで、ユーザ情報とダウンロード情報をチェックして、課金管理を行なっている。
【０００７】
【発明が解決しようとする課題】
近年このような情報配信サービスシステムにおいて、ユーザ端末として携帯電話すなわち携帯通信装置が活用されてきており、Ｉモードなどの機能を使ってインターネットに容易にアクセスできるようになってきている。携帯電話の着信メロディを提供するプロバイダもあり、携帯電話からアクセスし着信メロディをダウンロードできる。
【０００８】
ところで、音楽情報などのコンテンツにおいて、楽曲の歌詞やバンドスコアなどは、アクセスしてダウンロードしても、携帯電話などのユーザ端末ではその内容を表示しきれず、せっかくダウンロードした内容を利用しにくいという問題があった。また、利用金額も、曲数に応じた課金がほとんどであり、楽曲の内容を加味した課金方法がとられることはない。
【０００９】
本発明はこれらの問題に鑑みてなされたものであり、携帯端末を利用するコンテンツの入手と出力が出来るシステムを提供することを第１の目的とし、例えば楽曲の内容別など、ユーザがより細かく合理的に利用料金を負担すればすむシステムを提供することを第２の目的とする。携帯電話を利用して、インターネットを介して、情報提供業者から、該電話では一括表示が難しい大きい情報も入手し、携帯電話ユーザがプリントアウト又はディスプレイ表示することを第３の目的とする。
【００１０】
【課題を解決するための手段】
（１）携帯通信装置(5a)から、ネットワーク(1)を介して、該携帯通信装置(5a)をＩＤ登録したコンテンツサーバ(3a)にアクセスし、
該アクセスに応答して前記コンテンツサーバ(3a)が前記携帯通信装置(5a)に、コンテンツを検索するための情報を送信し、
該検索するための情報にあったコンテンツの送信を、前記携帯通信装置(5a)が、前記コンテンツサーバ(3a)に要求し、
該コンテンツサーバ(3a)が、該要求があったコンテンツを前記携帯通信装置(5a)に送信し、
該携帯通信装置(5a)が、受信した前記コンテンツを、出力装置(5b/6/4a/4b)を用いて可視出力する、
ネットワーク利用のコンテンツ頒布方法。
【００１１】
なお、理解を容易にするためにカッコ内には、図面に示し後述する実施例の、対応要素又は相当要素の記号を、参考までに付記した。以下も同様である。
【００１２】
（２）携帯通信装置(5a)から、ネットワーク(1)を介して、該携帯通信装置(5a)をＩＤ登録したコンテンツサーバ(3a)にアクセスし、
該アクセスに応答して前記コンテンツサーバ(3a)が前記携帯通信装置(5a)に、コンテンツを検索するための情報を送信し、
該検索するための情報にあったコンテンツの指定と宛先を、前記携帯通信装置(5a)が、前記コンテンツサーバ(3a)に送信し、
該コンテンツサーバ(3a)が、該指定があったコンテンツを前記宛先に送信し、
前記宛先の出力装置6/4a/4b)が、前記送信があったコンテンツを可視出力する、
ネットワーク利用のコンテンツ頒布方法。
【００１３】
（３）ＩＤ登録がある通信装置からの、ネットワーク(1)を介したアクセスに応答して該ネットワークを介してコンテンツを検索するための情報を該通信装置に送信し、該通信装置が指定したコンテンツを該通信装置に送信するコンテンツサーバ(3a)；
前記ネットワーク(1)を介して、自己のＩＤ登録をした前記コンテンツサーバ(3a)にアクセスし、それからコンテンツを指定してダウンロードする携帯通信装置(5a)；および、
該携帯通信装置(5a)がダウンロードしたコンテンツが与えられるとそれを出力する出力装置(5b/6/4a/4b)；
を含むネットワーク利用のコンテンツ頒布システム。
【００１４】
これによれば、携帯電話(5a)などの携帯通信装置でアクセスしたコンテンツをダウンロードして任意に携帯向けの小型プリンタ(5b)，携帯電話ユーザのファクシミリ(6)あるいは携帯電話ユーザのパソコン(4a)又はそれに接続したプリンタ(4b)で、プリント出力出来る。又は広い面積で２次元表示出来る。
【００１５】
（４）ＩＤ登録がある通信装置からの、ネットワーク(1)を介したアクセスに応答して該ネットワークを介してコンテンツを検索するための情報を該通信装置に送信し、該通信装置が指定したコンテンツを該通信装置が指定した宛先に送信するコンテンツサーバ(3a)；
前記ネットワーク(1)を介して、自己のＩＤ登録をした前記コンテンツサーバ(3a)にアクセスし、それにコンテンツおよび宛先を指定して送信を指示する携帯通信装置(5a)；および、
前記コンテンツサーバ(3a)が送信してきたコンテンツを出力する出力装置(6/4a/4b)；
を含むネットワーク利用のコンテンツ頒布システム。
【００１６】
これによれば、携帯電話(5a)などの携帯通信装置でアクセスしたコンテンツを携帯通信装置にダウンロードすることなく、任意の出力先を指定してダウンロード、転送することが可能になる。
【００１７】
【発明の実施の形態】
（４ｖ）ＩＤ登録がある通信装置からの、ネットワーク(1)を介したアクセスに応答して該ネットワークを介してコンテンツを検索するための情報を該通信装置に送信し、該通信装置が指定したコンテンツを、該通信装置の指定に従い該通信装置にあるいは指定された宛先に送信するコンテンツサーバ(3a)；
前記ネットワーク(1)を介して、自己のＩＤ登録をした前記コンテンツサーバ(3a)にアクセスし、それからコンテンツおよび必要に応じて宛先を指定して自己に又は宛先にダウンロードする携帯通信装置(5a)；および、
該携帯通信装置(5a)がダウンロードしたコンテンツを出力する出力装置(5b/6/4a/4b)；を含むネットワーク利用のコンテンツ頒布システム。
【００１８】
これによれば、携帯電話(5a)などの携帯通信装置でアクセスしたコンテンツをダウンロードして任意に携帯向けの小型プリンタ(5b)，携帯電話ユーザのファクシミリ(6)あるいは携帯電話ユーザのパソコン(4a)又はそれに接続したプリンタ(4b)で、プリント出力出来る。又は広い面積で２次元表示出来る。また、携帯電話(5a)などの携帯通信装置でアクセスしたコンテンツを携帯通信装置にダウンロードすることなく、任意の出力先を指定してダウンロード、転送することが可能になる。ユーザのコンテンツ取り扱いの自由度が高い。
【００１９】
（５）前記宛先は、ファクシミリ番号又は電子メールアドレスである、上記（２）のコンテンツ頒布システム。
【００２０】
これによれば、携帯電話(5a)などの携帯通信装置でアクセスしたコンテンツを携帯通信装置にダウンロードすることなく、ＦＡＸ番号やＥメールアドレスを指定してそこにダウンロードして出力することが可能になる。
【００２１】
（６）前記コンテンツサーバ(3a)は、通信装置毎のダウンロード内容を記憶手段に蓄積し、一定の期間毎に通信装置がダウンロード利用したコンテンツの利用料金合計を徴収する、上記（１），（２）または（３）のネットワーク利用のコンテンツ頒布システム。
【００２２】
これによれば、コンテンツ利用者が予めコンテンツサーバ(3a)にユーザ登録しておけば、コンテンツサーバ(3a)においてユーザ別にコンテンツのダウンロード回数、料金などが記憶され、一定期間毎の料金計算が自動化でき、さらに課金通知もネットワーク(1)を通したサービスとできるため、便利である。
【００２３】
（７）コンテンツは、歌詞およびバンドスコアを含む音楽情報である、上記（１）乃至（４）のいずれかに記載のネットワーク利用のコンテンツ頒布システム。
【００２４】
これによれば、ユーザは、楽曲の歌詞やバンドスコアが歌本やスコアブックのような本の形態に留まらず、電子情報で容易に入手できて、しかも必要に応じた出力が可能になり、データの扱いが手軽で安価になる。
【００２５】
（８）前記コンテンツの利用料金は、歌詞に対しては対象楽曲の新旧，ダウンロード頻度又はジャンルに対応する価格であり、バンドスコアは、総スコア又は各パート毎のスコアに対応する価格であり、コンテンツサーバ(3a)はそれぞれの対価を明示する、上記（５）のネットワーク利用のコンテンツ頒布システム。
【００２６】
これによれば、インフォメーションプロバイダ(3b)は、楽曲に対して独自の付加価値をつけることが出来、サービスの結果に基づいたさらなるサービスの可能性を探ることが可能になる。一方、ユーザは提示された楽曲情報の価値を比較選択でき、その結果を用いた利用形態を選択できるようになる。
【００２７】
（９）各種コンテンツを提供するインフォメーションプロバイダ(3b)と、インターネットプロバイダ(2b)と、コンテンツ流通に関わるネットワーク(1)と、Iモードなどの機能を利用してコンテンツの内容にアクセスする携帯端末(5a)と、アクセスしたコンテンツの内容を出力する携帯端末(5a)ユーザの出力装置(5b/6/4a/4b)で構成され、アクセスしたコンテンツの内容を携帯端末(5a)にダウンロードし、そのデータをユーザの任意の出力装置で出力することができることを特徴とするコンテンツ出力サービスシステム。
【００２８】
このシステムによると、携帯電話などの携帯端末(5a)でアクセスしたコンテンツをダウンロードして任意に携帯向けの小型プリンタ(5b)あるいはその他のユーザの出力装置(6/4a/4b)で出力することが可能になる。
【００２９】
（１０）前記出力装置は、前記携帯通信装置とは別体の出力装置(5b/6/4a/4b)である。
【００３０】
（１１）前記出力装置は、プリンタ、又はパソコンのディスプレイ(5b/6/4a/4b)である。
【００３１】
（１２）携帯端末(5a)からＩモードなどの機能を利用してインターネット(1)を介してインフォメーションプロバイダ(3b)のコンテンツを利用する場合の料金の課金方法であって、インフォメーションプロバイダ(3b)のサーバ(3a)に、ユーザが予めユーザ登録する手段と、ユーザが所望のコンテンツを検索するための情報提示手段と、ユーザが選択したコンテンツの内容を携帯端末へダウンロードする手段と、さらに、ユーザ毎のダウンロード内容の記憶手段を有し、これにしたがって一定の期間毎にユーザがダウンロード利用したコンテンツの利用料金合計を徴収することを特徴とする上記（９）のコンテンツ出力サービスシステム。
【００３２】
このシステムによると、コンテンツ利用者が予めユーザ登録しておけば、ユーザ別にコンテンツのダウンロード回数、料金などが記憶され、一定期間毎の料金計算が自動化でき、さらに課金通知もネットワークを通したサービスとできるため、便利である。
【００３３】
（１３）各種コンテンツを提供するインフォメーションプロバイダ(3b)と、インターネットプロバイダ(2b)と、コンテンツ流通に関わるネットワーク(1)と、Iモードなどの機能を利用してコンテンツの内容にアクセスする携帯端末(5a)と、アクセスしたコンテンツの内容を出力する出力装置(6/4a/4b)で構成され、携帯端末(5a)がコンテンツ指定をユーザ任意のＦＡＸ番号、もしくは電子メールアドレスと共にインフォメーションプロバイダ(3b)のサーバ(3a)に送信すると、インフォメーションプロバイダ(3b)のサーバ(3a)が、ユーザの指定したＦＡＸ番号、もしくは電子メールアドレスに指定があったコンテンツをダウンロードしそこで出力することを特徴とするコンテンツ出力サービスシステム。
【００３４】
このシステムによると、携帯電話などの携帯端末(5a)でアクセスしたコンテンツをアクセス端末にダウンロードすることなく、ＦＡＸ番号やＥメールアドレスなど任意の出力先にダウンロードして出力することが可能になる。
【００３５】
（１４）携帯端末(5a)からＩモードなどの機能を利用してインターネットを介してインフォメーションプロバイダ(3b)のコンテンツを利用する場合の料金の課金方法であって、インフォメーションプロバイダ(3b)のサーバ(3a)に、ユーザが予めユーザ登録する手段と、ユーザが所望のコンテンツを検索するための情報提示手段と、ユーザが指示したコンテンツの内容を、ユーザが指示した出力先のＦＡＸ番号もしくは電子メールアドレスへダウンロードし出力する出力先指定手段を有し、さらに、ユーザ毎のダウンロード内容の記憶手段と利用料金集計手段を有し、これにしたがって一定の期間毎にユーザがダウンロード利用したコンテンツの利用料金合計を徴収することを特徴とする上記（１３）のコンテンツ出力サービスシステム。
【００３６】
このシステムによると、コンテンツ利用者が予めユーザ登録しておけば、サーバ(3a)においてユーザ別にコンテンツのダウンロード回数、料金、転送サービスの有無、転送先、転送料金などが記憶され、一定期間毎の料金計算が自動化でき、さらに課金通知もネットワークを通したサービスとできるため、便利である。
【００３７】
（１５）コンテンツの内容が音楽情報であり、中でも、歌詞やバンドスコアなどであることを特徴とする上記（９）乃至（１４）のいずれかのコンテンツ出力サービスシステム。
【００３８】
このシステムによると、ユーザの任意の楽曲の歌詞やバンドスコアが歌本やスコアブックのような本の形態に留まらず、電子情報で容易に入手できて、しかも必要に応じた出力が可能になり、データの扱いが手軽で安価になる。
【００３９】
（１６）インフォメーションプロバイダ(3b)のサーバ(3a)は、コンテンツの内容である歌詞、またはスコア情報に対し、対象楽曲の新旧、ダウンロード頻度、ジャンルなど、さらにスコアなら総スコアか、各パート毎のスコアかでその対価に差を持たせることができ、それぞれの対価をユーザに明示することを特徴とする上記（１５）のコンテンツ出力サービスシステム。
【００４０】
このシステムによると、インフォメーションプロバイダ(3b)は、楽曲に対して独自の付加価値をつけることが出来、サービスの結果に基づいたさらなるサービスの可能性を探ることが可能になる。一方、ユーザは提示された楽曲情報の価値を比較選択でき、その結果を用いた利用形態を選択できるようになる。
【００４１】
本発明の他の目的および特徴は、図面を参照した以下の実施例の説明より明らかになろう。
【００４２】
【実施例】
以下、図面を参照しながら本発明の構成と実施例を説明する。図１は本発明の一実施形態としてのコンテンツプリントサービスシステムの構成例を示し、図２は、コンテンツ転送に関する処理を示し、図３は課金処理を示し、図４はユーザ別ダウンロード情報の一例を示す。以下、これらの図面を参照して、一実施例をユーザの立場から、およびサービス側から説明する。
【００４３】
図１を参照する。例えば、音楽スタジオにいるユーザがある楽曲のバンドスコアを入手したいと考えたとする。ユーザは予めユーザ登録してあるインフォメーションプロバイダ３ｂの音楽情報コンテンツに、携帯電話５ａをつかってＩモードでアクセスする。所望の楽曲を検索し、提示されたその楽曲のバンドスコアとその利用料金を参照する。一般にバンドスコアはフルスコアの状態で販売されるが、本実施例のサービスシステムでは、フルスコアの入手のほかに、ユーザが利用料金を安く済ませようと考えるなら、自分が演奏するパートのスコアのみを選択することもできる。
【００４４】
このユーザが、例えばキーボードのスコアを選択すると、システム側のサーバ３ａから転送サービスを受けるかどうかを問われる。このユーザは音楽スタジオにいて、すぐにスコアを使いたいと考えているので、スタジオにあるＦＡＸに転送したいと考え、スタジオにあるＦＡＸの番号をデータの転送先に指示する。すると、所望のキーボードのバンドスコアが、スタジオにあるＦＡＸへ送られ、出力される。
【００４５】
このユーザは、このようにして、インフォメーションプロバイダ３ｂの音楽情報コンテンツにアクセスしてサービスを受けており、月末になると、この一ヶ月のサービスの利用内訳（ダウンロード内容と利用料金、転送出力サービス料金など）、および利用料金の請求が送られてくる仕組みになっている。ユーザはその内容を確認した後、振り込みなどの手段で入金をする。
【００４６】
次に、図２を参照して、サーバ３ａの処理を説明する。ユーザからコンテンツへのアクセスがあると、システム側は、まず、そのユーザがそのインフォメーションプロバイダの利用会員として登録されているかどうかをチェックする（ステップ１〜４）。登録されていなければユーザへ登録の要求を出し（ステップ５）、ユーザとの通信対話で、ユーザが登録に応じると、ユーザ登録をする。すでに登録されていれば、コンテンツの提示をする（ステップ６）。なお、以下においては、カッコ内には、ステップという語を省略して、ステップＮｏ．数字のみを記す。
【００４７】
ユーザがコンテンツを検索し、所望の情報を選択、ダウンロードを要求してきたら（７，８）、転送サービス利用の有無をユーザに問う（９）。転送指示がない場合は、ユーザのアクセス端末へ直接ダウンロードを行ない（１０）、転送指示があれば、転送先を問い、ユーザ指定の転送先へダウンロード、転送出力する（１５〜１９）。
【００４８】
アクセス端末へ直接ダウンロードした場合は、ユーザが任意の出力機器へ出力要求し、任意の出力環境で出力することになる（１１〜１４）。ダウンロードが終了したら、ユーザにダウンロード内容や転送先などの情報を送信して表示する（２０）と同時に、ユーザ別ダウンロード情報記憶手段３ａＣに、そのダウンロード情報や課金情報を保存する（２１）。それからユーザへコンテンツ利用終了の表示を出し（２２）、終了の信号が入ってくれば待機モードに戻る。終了信号がない場合は、再度、コンテンツの初期画面をユーザに提示する（１）。
【００４９】
図３を参照して、サーバ３ａにおける課金処理を説明する。課金は、例えば月末締めのシステムであれば、月末にユーザ別ダウンロード情報から、その月分の利用料、転送サービス料などを、利用料集計ルールに従って、集計する。集計表の一例１０を図４に示す。あるユーザのその月に利用の課金があった場合は、集計結果から、インフォメーションプロバイダ３ｂへ売り上げ分を還元し、ユーザへは利用内訳と料金の請求を行なう。ユーザからの入金が確認されたら、そのユーザのその月のダウンロード情報はリセットする。
【００５０】
【発明の効果】
携帯電話などの携帯端末でアクセスしたコンテンツをダウンロードして任意に携帯向けの小型プリンタなどの出力装置で出力することが可能になる。あるいは、携帯電話などの携帯端末でアクセスしたコンテンツをアクセス端末にダウンロードすることなく、ＦＡＸ番号やＥメールアドレスなど任意の出力先を指定してダウンロードし出力することが可能になる。
【図面の簡単な説明】
【図１】  本発明の一実施例のシステム概要を示すブロック図である。
【図２】  図１に示すサーバ３ａの、ユーザの携帯電話５ａを使用したアクセスに対応したコンテンツ送給処理の内容を示すフローチャートである。
【図３】  図１に示すサーバ３ａの、課金処理の内容を示すフローチャートである。
【図４】  課金処理により生成したユーザ個別の集計表を示す斜視図である。
【図５】  従来のコンテンツ頒布システムの概要を示すブロック図である。
【符号の説明】
１０：集計表